(57)【要約】【課題】一般家庭の台所や給食施設・飲食店の調理場等で使用されるバイメタル式温度計やデジタル式温度計が、床の上に落下して破損することや、その破片が飛び散って食べ物に混入することを防止すると同時に、湯水や天麩羅油等の液体が降りかかって故障を生ずることを防止する。【解決手段】背面に棒状の感温部５が突設された温度計のダイヤルケース１に、その正面及び側面を覆う保護キャップ６が装着され、該保護キャップ６は、透明シリコン樹脂などの弾性を有する透明な軟質樹脂によって成形されると共に、その端縁部が内側に曲げられてダイヤルケース１の背面に掛け止める外れ防止用の返し７が形成されている【選択図】図１
0003114068.tif 000002
【実用新案登録請求の範囲】
【請求項１】
ダイヤルケースの背面に棒状の感温部が突設された温度計において、前記ダイヤルケースに、その正面及び側面を覆う保護キャップが装着され、該保護キャップが、弾性を有する透明な軟質樹脂によって成形されると共に、その端縁部が内側に曲げられて前記ダイヤルケースの背面に掛け止める外れ防止用の返しが形成されていることを特徴とする温度計。
【請求項２】
前記ダイヤルケースの正面に凸曲面形状のカバーガラスが取り付けられ、その正面を覆う前記保護キャップの部分が前記カバーガラスの表面に密着する凸曲面形状に形成されている請求項１記載の温度計。
【請求項３】
前記保護キャップが、透明シリコン樹脂によって全体的な肉厚が約０．５〜１．０ｍｍ、前記返しの幅が約４〜６ｍｍとなるように成形されている請求項１又は２記載の温度計。
【請求項４】
弾性を有する透明な軟質樹脂によって温度計のダイヤルケースの正面及び側面を覆う形状に成形されると共に、端縁部が内側に曲げられて前記ダイヤルケースの背面に掛け止める外れ防止用の返しが形成されていることを特徴とする温度計用保護キャップ。
【請求項５】
透明シリコン樹脂によって全体的な肉厚が約０．５〜１．０ｍｍ、前記返しの幅が約４〜６ｍｍとなるように成形されている請求項４記載の温度計用保護キャップ。
【考案の詳細な説明】
【技術分野】
【０００１】
本考案は、ダイヤルケースの背面に棒状の感温部が突設された温度計とそれに用いる新規な保護キャップに関する。
【背景技術】
【０００２】
この種の温度計としては、ダイヤルケースの正面に温度目盛を刻んだ目盛盤とその目盛を指し示す指針とが設けられたバイメタル式温度計や、ダイヤルケースの正面に温度をデジタル表示する液晶ディスプレイと電源のソーラーバッテリとが設けられたデジタル式温度計などがある。
【０００３】
従来一般のバイメタル式温度計は、図３に示すように、扁平な有底円筒ケースで成るダイヤルケース１の正面に、目盛盤２と指針３が設けられると共に、それらを保護するカバーガラス４が取り付けられており、ダイヤルケース１の背面には、その中心位置に先鋭な棒状の感温部５が突設されている（非特許文献１参照）。そして、例えば調理用のバイメタル式温度計は、パン生地に感温部５の先端を突き刺してイースト菌や天然酵母による一次発酵・二次発酵の温度をチェックしたり、加熱調理中の肉に感温部５を突き刺してその肉の焼き加減の温度をチェックしたり、あるいは天麩羅鍋やラーメンのスープを作る寸胴鍋の中に感温部５を差し入れて天麩羅油やスープの加熱温度をチェックするなどの用途に使用されている。
【非特許文献１】「Ａｍｅｎｉｔｙ  Ｌｉｆｅ  ２００４．６  くらしの温度・湿度計他カタログ」，株式会社佐藤計量器製作所，平成１６年６月発行，Ｐ．２６
【０００４】
ところで、図３の如くダイヤルケース１の背面に棒状の感温部５が突設された温度計は、これを調理台やテーブルの上などに置いたときに、ダイヤルケース１がその背面に突設された棒状の感温部５を軸として車輪の如く転がりやすい状態となるため、台所や調理場の床の上に転がり落ちてカバーガラス４が破損するおそれがあると同時に、破損したカバーガラス４の破片が周辺に飛び散って怪我をしたり、その破片の一部が食べ物等に混入するおそれもあった。また、デジタル温度計の場合は、床に落下したときの衝撃で液晶ディスプレイやソーラーバッテリが破損するおそれがあった。
【０００５】
更に、温度計の使用中に、ダイヤルケース１の正面に湯水やスープ、天麩羅油等の液体が降りかかり、その液体がカバーガラス４の取付箇所からダイヤルケース１内に浸入して、目盛盤２が汚損されるなどのおそれもあった。また、デジタル式温度計の場合は、ダイヤルケースの正面に液体が降りかかると、その正面に設けた液晶ディスプレイやソーラーバッテリが作動不能となるなどの故障を生ずるおそれがあった。
【考案の開示】
【考案が解決しようとする課題】
【０００６】
本考案は、ダイヤルケースの背面に棒状の感温部が突設された温度計に関して、該温度計が調理台やテーブルの上から台所や調理場の床に落下しても、ダイヤルケースに設けられたカバーガラスや液晶ディスプレイ等が破損しないようにすると同時に、ダイヤルケースに水や油等の液体が降りかかっても、その液体によって目盛盤が汚損されたり、液晶ディスプレイが作動不能になる等の故障が生じないようにすることを技術的課題としている。
【課題を解決するための手段】
【０００７】
上記の課題を解決するために、本考案は、ダイヤルケースの背面に棒状の感温部が突設された温度計において、前記ダイヤルケースに、その正面及び側面を覆う保護キャップが装着され、該保護キャップが、弾性を有する透明な軟質樹脂によって成形されると共に、その端縁部が内側に曲げられて前記ダイヤルケースの背面に掛け止める外れ防止用の返しが形成されていることを特徴とする。
【考案の効果】
【０００８】
本考案に係る温度計は、例えば誤って床の上に落としても、床に衝突する可能性のある部位であるダイヤルケースの正面及び側面が、弾性を有する透明な軟質樹脂で成形された保護キャップで覆われているので、そのダイヤルケースに設けられたカバーガラスあるいは液晶ディスプレイやソーラーバッテリ等が落下による衝撃で破損することが防止される。また、万一、カバーガラスや液晶ディスプレイ等が破損しても、その破片が周辺に飛び散ることが防止される。更に、ダイヤルケースの正面に水や油等の液体が降りかかっても、その液体がダイヤルケース内に浸入して目盛盤が汚損されることが防止され、また、その液体の付着浸透によってダイヤルケースの正面に設けた液晶ディスプレイやソーラーバッテリが作動不能になるなどの故障を生ずることも防止される。
【０００９】
また、保護キャップは、弾性を有する透明な軟質樹脂で成形されているので、ダイヤルケースに容易に装着させることができ、且つダイヤルケースの表面に密着するように装着させることができる。更に、保護キャップは、その端縁部が内側に曲げられてダイヤルケースの背面に掛け止める外れ防止用の返しが形成されているので、使用中にダイヤルケースから不如意に外れて鍋の中などに落下するおそれもない。
【考案を実施するための最良の形態】
【００１０】
本考案に係る温度計の最良の実施形態は、背面に棒状の感温部が突設されたダイヤルケースに、その正面及び側面を覆う保護キャップが装着され、該保護キャップは、透明シリコン樹脂によって成形されると共に、その端縁部が内側に曲げられてダイヤルケースの背面に掛け止める外れ防止用の返しが形成され、更に、全体的な肉厚が約０．５〜１．０ｍｍ、外れ防止用の返しの幅が約４〜６ｍｍとなるように成形されている。
【実施例】
【００１１】
図１は本考案に係る温度計と保護キャップの一例を示す図であって、同図（ａ）はダイヤルケースに保護キャップが装着された温度計の側面図、同図（ｂ）はその保護キャップの断面を示す図である。また、図２はダイヤルケースに保護キャップが装着された温度計の平面図である。
【００１２】
本例に示す温度計は、ダイヤルケース１の正面に目盛盤２とその目盛を指し示す指針３が設けられると共に、それらを保護するカバーガラス４が取り付けられ、ダイヤルケース１の背面に先鋭な棒状の感温部５が突設されたバイメタル式温度計であって、カバーガラス４は、目盛盤２と指針３を保護するのみならず、それらを拡大視できるレンズとしての機能をも奏する凸曲面形状に形成されている。
【００１３】
そして、ダイヤルケース１には、その正面及び側面を覆う保護キャップ６が装着されている。該保護キャップ６は、弾性を有する透明な軟質樹脂である透明シリコン樹脂によってダイヤルケース１の正面及び側面を覆う形状に成形されると共に、端縁部が内側に曲げられてダイヤルケース１の背面に掛け止める外れ防止用の返し７が形成されている。なお、保護キャップ６は、ダイヤルケース１の正面を覆う部分がその正面に取り付けられた凸曲面形状のカバーガラス４の表面に密着する凸曲面形状に形成されている。
【００１４】
また、透明シリコン樹脂で成る保護キャップ６は、温度計が調理台やテーブルの高さに相当する約７０〜８０ｃｍ程度の高さから台所や調理場の床の上に落下したときに、その衝撃を吸収緩和してカバーガラス４の破損を防止することができるようにすると共に、ダイヤルケース１に対して容易に脱着することができるようにし、且つダイヤルケース１から不如意に脱落しないようにするために、その全体的な肉厚が約０．５〜１．０ｍｍ、返し７の幅が約４〜６ｍｍとなるように成形されている。
【００１５】
すなわち、透明シリコン樹脂で成る保護キャップ６の全体的な肉厚を０．５ｍｍ以上とすれば、温度計が調理台やテーブルの上から落下したときの衝撃でダイヤルケース１に取り付けられたカバーガラス４が破損することを防止することができる。また、保護キャップ６の全体的な肉厚を１．０ｍｍ以下とし、且つダイヤルケース１の背面に掛け止める返し７の幅を４〜６ｍｍ程度とすれば、該保護キャップ６をダイヤルケース１に対して容易に脱着することができる。したがって、保護キャップ６の表面が汚れたときは、該キャップをダイヤルケース１から簡単に取り外してその汚れを除去することができる。
【００１６】
また、保護キャップ６の全体的な肉厚を０．５ｍｍ以上とし、且つ返し７の幅を４〜６ｍｍ程度とすれば、温度計の使用中に、保護キャップ６がダイヤルケース１から不如意に脱落して鍋の中などに落下するおそれもない。更に、保護キャップ６の全体的な肉厚を１．０ｍｍ以下とすれば、その透明度も損なわれず、しかも、ダイヤルケース１の正面に取り付けられたカバーガラス４の表面に対する密着性も良いから、ダイヤルケース１内の目盛盤２や指針３を鮮明に透視することができる。
【００１７】
なお、本例の温度計は、ダイヤルケース１の正面に取り付けるカバーガラス４が凸曲面形状に形成され、そのダイヤルケース１に装着する保護キャップ６もカバーガラス４を覆う部分が凸曲面形状に成形されているが、本考案の温度計は、カバーガラスがフラットな形状に形成され、保護キャップもカバーガラスを覆う部分がフラットな形状に成形されているものであってもよい。また、本例の温度計は、バイメタル式温度計であるが、本考案は、液晶ディスプレイに温度を表示するデジタル式温度計にも適用することができる。
【産業上の利用可能性】
【００１８】
本考案は、一般家庭の台所や、給食施設あるいは飲食店の調理場で使用される調理用温度計の安全性向上と信頼性向上に資するものである。
【図面の簡単な説明】
【００１９】
【図１】本考案に係る温度計とその保護キャップの一例を示す側面図
【図２】図１に示す温度計とその保護キャップの平面図
【図３】従来の温度計を示す斜視図
【符号の説明】
【００２０】
１  ダイヤルケース
２  目盛盤
４  指針
５  感温部
６  保護キャップ
７  外れ防止用の返し
【図１】
0003114068.tif 000003
【図２】
0003114068.tif 000004
【図３】
0003114068.tif 000005